(57)【要約】      （修正有）【課題】表示板を着脱自在に容易に且つ迅速に当該パチンコ機等に表示する表示具を提供する。【解決手段】パチンコ機等の機台１０若しくは幕板１１の一部に設けられ、少なくとも当該パチンコ機等の機台若しくは幕板の一部と接合する接合部２と表示板保持部３とから構成されており、当該表示板保持部３には、表示板５を挿入引抜き自在とする表示板挿入部４が設けられていると共に、当該表示板５が、当該表示板挿入部４内に於いて磁力による挟持力を受ける様に構成されているパチンコ機等の表示具１。【選択図】図１
0003118581.tif 000002
【実用新案登録請求の範囲】
【請求項１】
パチンコ機等の表示具であって、パチンコ機等の機台若しくは幕板の一部に設けられ、少なくとも当該パチンコ機等の機台若しくは幕板の一部と接合する接合部と表示板保持部とから構成されており、当該表示板保持部には、表示板を挿入引抜き自在とする表示板挿入部が設けられていると共に、当該表示板が、当該表示板挿入部内に於いて磁力による挟持力を受ける様に構成されている事を特徴とするパチンコ機等の表示具。
【請求項２】
当該表示板保持部に於ける当該表示板挿入部は、当該表示板が挿入出来るスリット部で構成されている事を特徴とする請求項１に記載のパチンコ機等の表示具。
【請求項３】
当該スリット部は、相互に当接するか、所定の間隔を介して相互に対向する一対の板状体若しくは枠体によって構成されている事を特徴とする請求項１又は２に記載のパチンコ機等の表示具。
【請求項４】
当該表示板保持部の当該スリット部を形成する当該板状体若しくは枠体の一部に磁石が設けられている事を特徴とする請求項１乃至３の何れかに記載のパチンコ機等の表示具。
【請求項５】
当該スリット部を構成する一対の相互に対向している当該板状体に於ける、各板状体が相互に対向している面とは反対側の面に磁石が配置されている事を特徴とする請求項１乃至３の何れかに記載のパチンコ機等の表示具。
【請求項６】
当該スリット部を構成する一対の相互に対向している当該板状体或いは当該枠体に於ける適宜の対向する開口部を介して、磁石の少なくとも一部が当該板状体或いは当該枠体によるスリット形成面に直接配置されている事を特徴とする請求項１乃至５の何れかに記載のパチンコ機等の表示具。
【請求項７】
当該スリット部を構成する一対の相互に対向している当該板状体或いは当該枠体に於ける適宜の対向する開口部を介して、磁石の少なくとも一部が当該板状体或いは当該枠体によるスリット形成面からスリット部内に突出している事を特徴とする請求項１乃至６の何れかに記載のパチンコ機等の表示具。
【請求項８】
当該磁石が平板状体若しくは円筒状体或いは球状体である事を特徴とする請求項１乃至７の何れかに記載のパチンコ機等の表示具。
【請求項９】
当該磁石は、回転可能に配置された円筒形状或いは球状体からなる磁石であって、相互に対向する当該回転可能な磁石は、当該スリット形成面で相互に当接している事を特徴とする請求項８に記載のパチンコ機等の表示具。
【請求項１０】
当該表示板保持部の当該スリット部は、当該接合部から略直交する方向に延展されている一対の板状体或いは枠体とで形成されている事を特徴とする請求項２乃至８の何れかに記載のパチンコ機等の表示具。
【請求項１１】
当該表示板保持部の当該スリット部は、当該接合部の両端部から個別に延展された一対の板状体が相互に交差する部位で屈折され、当該一対の板状体間の空間部内に当該接合部に向けて相互に接合した状態で垂下して形成された一対の板状体垂下部に形成されている事を特徴とする請求項２乃至１０の何れかに記載のパチンコ機等の表示具。
【請求項１２】
当該表示板保持部の当該スリット部は、当該接合部の両端部から個別に延展された一対の板状体が相互に交差する部位で屈折され、当該接合部とは反対の方向に向けて相互に接合した状態で延展されて形成された一対の板状体延展部に形成されている事を特徴とする請求項２乃至１０の何れかに記載のパチンコ機等の表示具。
【請求項１３】
当該表示板保持部の当該スリット部の端部には、表示板の挿入を容易にする為のアール部或いはテーパー部が設けられている事を特徴とする請求項１乃至１２何れかに記載のパチンコ機等の表示具。
【請求項１４】
書棚等を含む商品陳列棚、自動出札機、自動販売機等の機台若しくは枠台の一部に設けられ、少なくとも当該機台若しくは枠台の一部と接合する接合部と表示板保持部とから構成されており、当該表示板保持部には、表示板を挿入引抜き自在とする表示板挿入部が設けられていると共に、当該表示板が、当該表示板挿入部内に於いて磁力による挟持力を受ける様に構成されている事を特徴とする表示具。
【考案の詳細な説明】
【技術分野】
【０００１】
本考案は、パチンコ機或いはスロットマシン若しくはゲーム機等の表示具に関するものである。
【背景技術】
【０００２】
従来から、パチンコ店等では、多数のパチンコ機或いはスロットマシン若しくはゲーム機等が配置され同時に稼動しており、それらのうちの個々のパチンコ機或いはスロットマシン若しくはゲーム機が現在どのような状体になっているかを知ることは、パチンコ店等の従業員にとっては、管理上必要なことであり、一方ユーザーにとってもその情報は、遊戯する上で貴重な情報である。
【０００３】
その為、従来から、個々のパチンコ機或いはスロットマシン若しくはゲーム機に対応してその機台若しくは幕板にユーザー或いは係員の注意を喚起できる様に様々な構造を有する表示具を取り付ける装置が提案されてきている。
【０００４】
即ち、多数のパチンコ機或いはスロットマシンが直列して長く配列され、しかもそれらが何列も並列して配列されている中で、特定のパチンコ機或いはスロットマシン若しくはゲーム機が現在如何なる状態にあるのかを瞬時に判別できるようにする為には、特定の表示が可能な電気的表示装置や大型の表示板を使用するとか特定の色柄を持つフラグを立てるとかの方法を採用することが望ましい。
【０００５】
例えば、実開平３−１１４２９２号公報（特許文献１）或いは実開平３−１２６１７６号公報（特許文献２）には、特定のメッセージが記載された大型の表示板を通常は横伏せさせておくが、必要な時期には、電気的な駆動回路を使用して直立させる様にしたパチンコ機等の表示具が示されている。
【０００６】
然しながら、係る公知例では、駆動回路が複雑でコストが掛かるほか、一種類の表示板しか使用できないので複数種の表示板を使用することは不可能であるという問題がある。
【０００７】
一方、実開平６−２６９７３号公報（特許文献３）には、パチンコ機等の種々の状態を表示する表示具部を備えた表示灯に、適宜のメッセージが記載された表示プレートを着脱自在に教示できるスリット部が設けられている構造からなるパチンコ機等の表示具が示されている。
【０００８】
然しながら、当該公知例では、同公報の図３に示されている通り、スリット部内には、挿入される表示プレートの厚みと略同一の間隔を介して配列されている複数の凸状部が存在しているのみであるから、挿入された表示プレートを強く挟持することはできず、従って大型の表示プレートを使用することは困難であると共に、長期間使用している間に当該スリット部が徐々に開拡され、当該表示プレートを保持する機能が失われるので、早期に交換する必要があるという問題があった。
【０００９】
即ち、従来のパチンコ機或いはスロットマシン若しくはゲーム機等に於いて使用される表示板としては、停止中、故障中、打ち止め等の管理側の必要による表示、或いは無制限、ラッキースタート、大当たり等のユーザー側で関心が高い内容の表示をする等多種多様な表示板を頻繁に付け替える必要があり、しかも遠方から良く目視できる様に、比較的大きな表示板を使用する事が望まれている。
【００１０】
更に、コスト低減の意味からもかかる比較的大きな表示板を簡単な機構で容易に装着或いは取り外しが出来るような表示板取り付け装置を使用する事が望まれている。
【００１１】
従来の表示板取り付け装置は、前記した特許文献に記載の物のほか、単にプラスチック材料で適宜のスリット部を形成した当該表示板保持具が使用されているが、大型の表示板保持具であるとパチンコ機等の機台若しくは幕板に取り付けた際にその外観や景観を悪化させることになり、又長期の頻繁な使用に際しては、スリット部の間隔が徐々に拡大されて表示板の保持力が低下し、新しいものと交換する必要が頻発すると言う問題がある。
【特許文献１】実開平３−１１４２９２号公報
【特許文献２】実開平３−１２６１７６号公報
【特許文献２】実開平６−２６９７３号公報
【考案の開示】
【考案が解決しようとする課題】
【００１２】
従って、本考案の目的は、上記した従来に於けるパチンコ機等の表示具での問題点を解消し、構成が簡単で、安価でしかも、確実に適宜の表示板を着脱自在に装着、取り替えが可能で且つ長期間の使用に耐えるパチンコ機等の表示具を提供するものである。
【課題を解決するための手段】
【００１３】
本考案は、上記目的を達成するために、以下に示す様な基本的技術構成を採用するものである。
【００１４】
即ち、本考案に係るパチンコ機等の表示具は、パチンコ機等の機台若しくは幕板の一部に設けられ、少なくとも当該パチンコ機等の機台若しくは幕板の一部と接合する接合部と表示板保持部とから構成されており、当該表示板保持部には、表示板を挿入引抜き自在とする表示板挿入部が設けられていると共に、当該表示板が、当該表示板挿入部内に於いて磁力による挟持力を受ける様に構成されている事を特徴とするパチンコ機等の表示具である。
【考案の効果】
【００１５】
本考案に於ける当該パチンコ機等の表示具は、上記した様な技術構成を採用しているので、構成が簡単で、安価でしかも、確実に比較的大きなサイズからなる適宜形状を持った表示板を着脱自在に容易に且つ迅速に当該パチンコ機等の表示具に対して装着、取り替えが可能で然も長期間の使用に耐えるパチンコ機等の表示具がえられるのである。
【考案を実施するための最良の形態】
【００１６】
以下に、本考案にかかるパチンコ機等の表示具の具体例な構成を図面を参照しながら詳細に説明する。
【００１７】
即ち、図１は、本考案に係るパチンコ機等の表示具の一具体例の構成を示すものであって、図中、パチンコ機等の表示具１であって、パチンコ機等の機台４２若しくは幕板４１の一部に設けられ、少なくとも当該パチンコ機等の機台若しくは幕板の一部と接合する接合部２と表示板保持部３とから構成されており、当該表示板保持部３には、表示板５を挿入引抜き自在とする表示板挿入部４が設けられていると共に、当該表示板５が、当該表示板挿入部４内に於いて磁力による挟持力を受ける様に構成されているパチンコ機等の表示具１が示されている。
【００１８】
本考案に於ける当該パチンコ機等とは、パチンコ機の他にスロットマシン若しくはゲーム機等を含むものである。
【００１９】
上記具体例に於いて、本考案に係る当該パチンコ機等の表示具１の当該表示板保持部３及び当該接合部２を含む形状は、略三角形状からなる断面形状を有しているが、本考案に於けるパチンコ機等の表示具１の形状は、特に限定されるものではなく、本考案の技術思想が実現される限り如何なる断面形状や側面形状を採用する事が可能である。
【００２０】
図１に於ける本考案での具体例では、例えば、当該接合部２の両端部から所定の角度で個別に延展された一対の板状体１２、１３が所定の位置で相互に交差する部位１４で屈折され、当該一対の板状体１２、１３間の空間部１５内に当該接合部２に向けて相互に接合した状態で垂下して形成された一対の板状体垂下部１６が形成されており、当該板状体垂下部１６にスリット部４を有する表示板保持部３が形成されているものであり、更に、当該表示板保持部３に適宜の大きさを持つ永久磁石を含む適宜の磁石９が、適度の間隔で適度の個数設けられているものである。
【００２１】
本考案に於ける当該パチンコ機等の表示具１の材料は、特に限定されないが、金属材料合成樹脂材料、複合材料等が使用されるが、特には合成樹脂材料で構成されることが望ましい。
【００２２】
本考案に係る当該パチンコ機等の表示具１の表示板保持部３に形成されているスリット部４は、当該表示板保持部３を構成する一対の板状体１７及び１８の相互に当接する部分に形成されるものであり、通常は、図１（Ｂ）に示す様に相互に密接しているが、図１（Ｃ）及び図１（Ｄ）に示す様に、適宜の表示板５の所定の挿入部５１が当該スリット部４内に挿入されることにより、当該表示板保持部３を構成する一対の板状体１７及び１８の当接部が開き、その中に挿入された当該表示板５の当該挿入部５１を当該板状体１２、１３の弾性押圧力によって固定保持するものである。
【００２３】
本考案では、更に当該表示板保持部３に磁石９、特に互いに極性の異なる永久磁石９、９を当該表示板保持部３を構成する一対の板状体１７及び１８の双方に対向して配置しているので、当該表示板保持部３に於ける当該表示板５の保持力が一層強化され、大型の表示板４を比較的小さなパチンコ機等の表示具１で効果的に且つ強力に保持する事が可能となる。
【００２４】
本考案に使用される磁石或いは永久磁石は、例えば、直径が５ｍｍ前後の円形、楕円形、或いは三角形、四角形等を含む多角形を呈する板状体であることが望ましく、平面面積の大きさは特に特定されるものではない。
【００２５】
更に、本考案に於いては、当該磁石の使用個数や配置間隔も特に特定されるものではなく、使用状態に応じて適宜変更して採用する事が出来る。
【００２６】
図１に示す具体例では、図１（Ａ）に示す様に、当該複数個の磁石９、９を当該板状体１７及び１８の双方に横一列にそれぞれ対向して配置した例を示しているが、場合によっては、図２（Ｂ）に示す様に、その一部の磁石の位置を他の磁石の配列中心線から所定の距離だけ偏芯させるものであっても良く、或いは、図２（Ｃ）及び図２（Ｄ）に示す様に、横２段に配置したものであっても良い。
【００２７】
又、図１に示す具体例では、当該スリット部を構成する一対の相互に対向している当該板状体１７、１８に於ける、各板状体が相互に対向している面とは反対側の面に磁石９、９が配置されている例を示しているが、図３に示す様に、当該磁石９、９の一部或いは全部が、当該板状体１７，１８内に埋め込まれている場合であってもよい。
【００２８】
つまり、本考案のより特定の他の具体例としては、当該スリット部４を構成する一対の相互に対向している当該板状体１７，１８に設けられた適宜の相対向する開口部２０を介して、磁石９、９の少なくとも一部が当該板状体１７、１８によるスリット形成面に直接配置されている構成であっても良い。
【００２９】
図３（Ａ）及び図３（Ｂ）は、本考案に係る当該パチンコ機等の表示具１の他の具体例を示すものであり、当該パチンコ機等の表示具１の断面形状が図１の形状と異なるものである。
【００３０】
当該具体例に於ける当該表示板保持部３の当該スリット部４の端部には、表示板５の挿入を容易にする為のテーパー部２１或いはアール部２２が設けられている例が示されている。
【００３１】
本考案に於ける当該表示板保持部３の当該スリット部４は、当該接合部２から略直交する方向に延展されている一対の板状体１７、１８で形成されている事も作業を実行する面から見て好ましい態様である。
【００３２】
又、図４は本考案に係るパチンコ機等の表示具１の更に他の具体例を示すものであり、具体的には、図４（Ａ）に示す様に、単に当該表示板保持部３の当該スリット部４は、当該接合部２の略中央部から当該接合部２に対して略直角に延展された一対の板状体１７、１８で構成されており、当該磁石９、９は、上記したと同じ形態で当該一対の板状体１７、１８の外部或いは内部に適宜の配列形態で配置されているものであり、又、図４（Ｂ）及び図４（Ｃ）は、当該表示板保持部３の当該スリット部４は、当該接合部２の両端部から個別に延展された一対の板状体が相互に交差する部位１４で屈折され、当該接合部２とは反対の方向に向けて相互に接合した状態で延展されて形成された一対の板状体延展部に形成されている構成が示されている。
【００３３】
本具体例に於ける当該磁石９、９は、上記した具体例のいずれかと同じ形態で当該一対の板状体１７、１８の外部或いは内部に適宜の配列形態で配置されているものである。
【００３４】
図５は、本考案に係る当該パチンコ機等の表示具１の別の具体例の構成を示すものであり、構成としては、接合部２と表示板保持部３とが別体に構成されているものである。
【００３５】
即ち、当該接合部２両端部から個別に上方に延展された一対の板状体１２、１３がその先端部若しくはその近傍部に於いて、表示板保持部３を構成する一対の板状体１７、１８の一部と接合して、当該表示板保持部３を保持する構成を有するものである。
【００３６】
本具体例では、当該板状体１２、１３は、更に別の同一構成からなる板状体１２、１３とを好ましくは含む事によって、当該表示板保持部３を安定的に保持する事が出来る。
【００３７】
本具体例に於ける当該表示板保持部３を構成する一対の板状体１７、１８に配置される当該磁石、好ましくは永久磁石９、９は、上記した具体例のいずれかと同じ形態で当該一対の板状体１７、１８の外部或いは内部に適宜の配列形態で配置される事が出来る。
【００３８】
又、図６は、本考案に係る当該パチンコ機等の表示具１の更に別の具体例の構成を示すものであり、具体的には、前記した具体例に於いて使用された板状体１２、１３に替えて適宜の枠体３０が使用されるものである。
【００３９】
即ち、本具体例に於いては、当該表示板保持部３の当該スリット部４を形成する当該一対の枠体３０、３１の一部に磁石が設けられているものである。
【００４０】
より具体的には、図６（Ａ）に示す様に、当該接合部２に基部３３、３４接合された逆凹型の一対の枠体３０、３１が形成する空間部３２内部に複数個の磁石９、９が適宜の形態で配列されているものである。
【００４１】
一方、図６（Ｃ）に示す具体例では、当該接合部２に接合された一対の基部３３、３４が略直角方向に延展された一対の枠体３０、３１によって凹型の枠体が形成されており、当該枠体内に形成された空間部３２内部に複数個の磁石９、９が適宜の形態で配列されているものである。
【００４２】
係る具体例に於け当該磁石９、９の配置形態は、上記した各具体例に於ける磁石９、９の配置形態の何れかと同じ形態であっても良く、更に好ましくは、本具体例に於いて、当該磁石９、９は、図６（Ｂ）及び図６（Ｄ）に示す様に、当該枠体３０、３１に於ける適宜の対向する開口部３２を介して、当該磁石９、９の少なくとも一部が当該枠体により形成されるスリット形成面からスリット部４内に突出している事も好ましい。
【００４３】
本具体例に於ける当該磁石９、９は円筒状体或いは球状体である事が好ましく、より具体的には、当該磁石９、９は、回転可能に配置された円筒形状或いは球状体からなる磁石であって、相互に対向する当該回転可能な磁石は、当該スリット形成面で相互に当接している事が望ましい。
【００４４】
係る具体例に於いては、当該磁石９、９は、適宜に設けられた回転支持軸３５に回転自在に搭載されていることが望ましい。
【００４５】
更に、図７に示す様に、当該磁石９、９が球状体である場合には、当該板状体若しくは枠体の一部に設けた穴部２０或いは窓部２０から当該球状体の一部が当該スリット部４内に向けて突出している様に構成することも可能である。
【００４６】
本考案に係る表示具１をパチンコ機４０の機台４２の上部に取り付けて適宜の表示板５を挿入した例を図８に示す。
【００４７】
勿論本考案では、当該パチンコ機４０の幕板４１の一部にパチンコ機４０の機台４２にそれぞれ対応して設けることも可能である。
【００４８】
係る構成を採用することによって、当該表示板５は、容易に当該表示板保持部３のスリット部４内に挿入する事が可能となり、更に磁石の相互吸引力によって当該表示板保持部３の当該表示板５の狭持力は一層向上し、より長期間に亘って当該パチンコ機等の表示具１を使用する事が可能となる。
【００４９】
本考案に於ける当該パチンコ機等の表示具は、上記した様な技術構成を採用しているので、構成が簡単で、安価でしかも、確実に比較的大きなサイズからなる適宜形状を持った表示板を着脱自在に容易に且つ迅速に当該パチンコ機等の表示具に対して装着、取り替えが可能で然も長期間の使用に耐えるパチンコ機等の表示具がえられるのである。
【００５０】
尚、本考案は、パチンコ機或いはスロットマシン若しくはゲーム機等の表示具として説明したが、本考案はパチンコ機或いはスロットマシン若しくはゲーム機等の表示具としてではなく、本屋に於ける書棚或いは商店、デパート、スーパー、コンビニ、ディスカウントショップ等に於ける商品陳列棚、更には自動出札機、自動販売機等の機台若しくは枠台、又は、商品生産工場或いは研究室の装置や製品、部品或いは原材料若しくは試料等の載置棚の一部に設けられて有効に使用される事が出来る。
【図面の簡単な説明】
【００５１】
【図１】図１は、本考案に於ける表示具の一具体例の構成を示す図である。
【図２】図２は、本考案に於ける表示具の一具体例での磁石の配列状態の例を示す図である。
【図３】図３は、本考案に於ける表示具の他の具体例の構成を示す図である。
【図４】図４は、本考案に於ける表示具の更に他の具体例の構成を示す図である。
【図５】図５は、本考案に於ける表示具の別の具体例の構成を示す図である。
【図６】図６は、本考案に於ける表示具の更に別の具体例の構成を示す図である。
【図７】図７は、本考案に於ける表示具に使用される磁石の別の配列に関する具体例を示す図である。
【図８】図８は、本考案に於ける表示具をパチンコ機に搭載した例を示す図である。
【符号の説明】
【００５２】
１．      表示具
２．      接合部
３．      表示板保持部
４．      表示板挿入部、スリット部
５．      表示板
９．      永久磁石
１２．１３    板状体
１４．    板状体相互交差部位
１５．    空間部
１６．    板状体垂下部
１７，１８．    板状体
２０．  開口部、穴部、窓部
２１．    テーパー部
２２．    アール部
３０，３１．    枠体
３２．    空間部
３３，３４．    基部
３５．    回転支持軸
４０．    パチンコ機
４１．    幕板
４２．    パチンコ機台
５１．    表示板挿入部
【図１】
0003118581.tif 000003
【図２】
0003118581.tif 000004
【図３】
0003118581.tif 000005
【図４】
0003118581.tif 000006
【図５】
0003118581.tif 000007
【図６】
0003118581.tif 000008
【図７】
0003118581.tif 000009
【図８】
0003118581.tif 000010